(57)【要約】      （修正有）【課題】電気柵の碍子を、指に負担をかけることなく、支柱に固定することができる蝶ナットまわしを提供する。【解決手段】合成樹脂製の成形品の本体に、碍子のヒートンネジ切り部、または、碍子のヒートンネジ切り部と蝶ナットを挿通させる中空部３２を有し、その中空部３２の壁部３２ａに背面方向から正面に向かって開く方向へテーパーをつけ、その中空部３２にヒートンネジ切り部を挿通させるタイプには、中空部３２の外径付近に、本体を回すと、蝶ナットに回す力を加える凸部を少なくとも１つ以上を有したことを特徴とする。【選択図】図７Ａ
0003163734.tif 000002
【実用新案登録請求の範囲】
【請求項１】
蝶ナット２４を回すものであって、合成樹脂製の成形品の本体中央部にヒートンネジ切り部２２を通す中空部３２を有し、その中空部３２の外径付近に、本体３１を回わすと、蝶ナット２４に回す力を伝える凸部３３を少なくとも１つ以上を有したことを特徴とする蝶ナットまわし。
【請求項２】
蝶ナット２４を回すものであって、合成樹脂製の成形品の本体中央部にヒートンネジ切り部２２と蝶ナット２４を同時に通す中空部３２を有したことを特徴とする蝶ナットまわし。
【請求項３】
前記、合成樹脂製の成形品の中空部３２の壁部３２ａに背面方向から正面に向かって開く方向へテーパーをつけたことを特徴とする請求項１または請求項２に記載の蝶ナットまわし。
【考案の詳細な説明】
【技術分野】
【０００１】
本考案は、蝶ナットの螺着補助具に関するものである。
【背景技術】
【０００２】
例えば中山間地域の農村地帯では、田畑を荒らす猪、鹿等の害獣を電気ショックで撃退するために、田畑の周囲に裸電線を張設し、この裸電線に衝撃電圧を印加するようにした電気柵が多く使用されている。裸電線を張設するために、多数の支柱を一定間隔で地面に打設し、この打設された支柱に碍子を蝶ナットで螺着し、この螺着された碍子に裸電線が係止される。
【０００３】
例えば、電気柵が猪用であれば、図１に示すように、田畑の周囲に打設された支柱２に取り付けられた碍子１ａ、碍子１ｂに裸電線３ａ、裸電線３ｂを係止して、裸電線３ａ、裸電線３ｂを田畑の周囲に張設し、その裸電線３ａ、裸電線３ｂを約５０ｍごとに裸電線からなる上下結線４で結線される。
【０００４】
地表より１段目の裸電線３ｂは地表より約２０ｃｍ程度、２段目の裸電線３ａは裸電線３ｂの上方約２０ｃｍ程度の位置に張設されている。そして、この張設された裸電線３ａ、裸電線３ｂに衝撃電圧発生装置５より発生された衝撃電圧が印加されている。
【０００５】
田畑に侵入しようとして、この張設された裸電線３ａもしくは裸電線３ｂに接触した猪等の害獣には図中の矢目盛のように衝撃電圧発生装置５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００６】
この電気柵の裸電線を張設する為には、多数の支柱を一定間隔で地面に打設し、この打設された支柱に碍子を蝶ナットで螺着し、この螺着された碍子に裸電線が係止される。
【０００７】
碍子について、次に説明する。
１．図２に、碍子を構成する、ヒートン半円形状部２１、ヒートンネジ切り部２２、碍子本体２３、蝶ナット２４、を直線上に並べた参考図を示す。蝶ナット２４には突起部２４ａが形設している。
２．図３に、組み立てられた碍子２５の斜視図を示す。
３．図４に、組み立てられた碍子２５を支柱に取り付けた斜視図を示す。
【０００８】
碍子を支柱に仮付け、そして、しっかりと螺着して固定する作業について、次に説明する。
１．図５Ａ、図５Ｂに示すように、地面に打設した支柱２６に、支柱２６の頭部２６ａから、ヒートンの半円形状部２１を挿通し、図５Ｃのように碍子本体２３をヒートンネジ切り部２２に挿通し、適する高さのところで、蝶ナット２４を指で回して、碍子本体２３を支柱２６に仮付けする。
２．そのあと、蝶ナット２４を、指で強く回して、しっかりと螺着する。
【先行技術文献】
【特許文献】
【０００９】
【非特許文献１】特許公開２００３−１１７８４５
【非特許文献２】特許公開平１０−１５１５７５
【考案の概要】
【考案が解決しようとする課題】
【００１０】
碍子を支柱に固定する作業については、蝶ナット２４を、指でつまんで、強い力で螺着させる必要があるので、指に痛みを感じる。
周囲５００ｍの田畑を囲む電気柵には、約２００本の支柱が必要である。
猪侵入防止用電気柵あれば支柱１本につき２個の碍子が必要であり、鹿侵入防止用電気柵であれば、支柱１本につき、４個の碍子が必要である。
よって  碍子の数は猪侵入防止用電気柵周囲５００ｍで４００個となり、鹿侵入防止用電気柵周囲５００ｍで８００個となる。
このように、多数の碍子を支柱に螺着する作業については、指に強い痛みをともなう。
【００１１】
また、非特許文献１や非特許文献２のように、蝶ナットを締めつける工具もあるが、次のような欠点がある。
１．工具のつくりが複雑なために高価である。
２．軽くなく、物が小さくないので、使い勝手がわるい。
３．短時間で螺着できない。
４．蝶ナットを締め付け過ぎる恐れがある。
【００１２】
そこで、本考案は、碍子を支柱に固定する際に、指に痛みを感じることなく、また、つくりが簡単で安価、軽く、小さく、使い勝手が良く、短時間で螺着でき、蝶ナットを締め付け過ぎずに、碍子を支柱に螺着することが出来る成形品（螺着補助具）を提供するものである。
【課題を解決するための手段】
【００１３】
本考案は、電気柵支柱２６に碍子本体２３を螺着する場合に用いる合成樹脂製の成形品（螺着補助具）であって、２つのタイプがある。
【００１４】
一つ目はＡタイプである。図６ＡはＡタイプの正面斜視図、図６Ｂは同背面斜視図、
図６Ｃは同正面図、図６Ｄは同背面図である。
これは、図６Ａ〜６Ｄに示すように合成樹脂製の本体３１のほぼ中央にヒートンネジ切り部２２を挿通させるための中空部３２を有している。そして、中空部３２から放射状に凸部３３を形成している。
そして、図６Ｅ、図６Ｆのように、その中空部３２にヒートンネジ切り部２２を挿通させ、本考案の成形品（螺着補助具）の本体３１を蝶ナットに冠着し、本体３１を指で回転させると、その回す力は成形品（螺着補助具）の凸部３３から蝶ナット２４の突起部２４ａに伝えられることを特徴とする。
【００１５】
二つ目はＢタイプである。図７ＡはＢタイプの正面斜視図、図７Ｂは同背面斜視図、
図７Ｃは同正面図、図７Ｄは同背面図である。
これは図７Ａ〜７Ｄに示すように、合成樹脂製の本体４１のほぼ中央に、ヒートンネジ切り部２２と蝶ナット２４とを同時に挿通させるための中空部３２を有している。３２ａは中空部３２の壁部である。
そして、図７Ｅ、図７Ｆのように、その中空部３２にヒートンネジ切り部２２と蝶ナット２４とを同時に挿通させ本考案の成形品（螺着補助具）の本体４１を指で回転させれば、その回す力は中空部３２の壁部３２ａから蝶ナット２４の突起部２４ａに伝えられることを特徴とする。
【００１６】
以下、本考案の成形品（螺着補助具）を、ＡタイプのものをＡ蝶ナットまわし、ＢタイプのものをＢ蝶ナットまわしと言う。
【考案の効果】
【００１７】
本考案のＡ蝶ナットまわしには、前述のように合成樹脂製の本体３１のほぼ中央にヒートンネジ切り部２２を挿通させるための中空部３２を有している。そして、中空部３２から放射状に凸部３３を形成している。
図６Ｅ、図６Ｆのように、この中空部３２にヒートンネジ切り部２２を挿通させ、本考案の成形品（螺着補助具）の本体３１を蝶ナットに冠着し、本体３１を指で回転させると、その回す力は凸部３３から蝶ナット２４の突起部２４ａに伝えられる。
従って、指に痛みを感じることなく、碍子２５を支柱２６に螺着、そして、しっかりと固定することができる。また、この碍子２５を支柱２６から取り外す場合もＡ蝶ナットまわしを使用し螺着する時とは逆に回すことにより容易に取り外しができる。
【００１８】
本考案のＢ蝶ナットまわしには、合成樹脂製の本体４１のほぼ中央に、ヒートンネジ切り部２２と蝶ナット２４を同時に挿通させるための中空部３２を有している。
そして、図７Ｅ、図７Ｆのように、その中空部３２にヒートンネジ切り部２２と蝶ナット２４とを同時に挿通させ本考案の成形品（螺着補助具）の本体４１を指で回転させると、その回す力は中空部３２の壁部３２ａから蝶ナット２４の突起部２４ａ伝えられる。
従って、指に痛みを感じることなく、碍子２５を支柱２６に螺着、そして、しっかりと固定することができる。また、この碍子２５を支柱２６から取り外す場合もＢ蝶ナットまわしを使用し、螺着する時とは逆に回すことにより容易に取り外しができる。
このようにして、Ａ蝶ナットまわし、Ｂ蝶ナットまわし共に、指に痛みを感ずることもなく碍子を支柱に容易に螺着固定、取り外しができ、まことに有益であり、また、既成のものと比べて、次の利点がある。
１．つくりが簡単なために安価である。
２．軽くて、物が小さいので、使い勝手が良い。
３．短時間で螺着できる。
４．蝶ナットを締め付け過ぎない。
【図面の簡単な説明】
【００１９】
【図１】電気柵の一例を示す概要図である。
【図２】碍子を構成する、ヒートン、本体、蝶ナット、を直線上に並べた参考図。
【図３】碍子の斜視図。
【図４】碍子を支柱に取り付けた斜視図。
【図５Ａ】支柱の頭部から、ヒートンの半円形状部を挿通しようとする参考図。
【図５Ｂ】支柱の頭部から、ヒートンの半円形状部を挿通させた参考図。
【図５Ｃ】支柱の適する高さで、ヒートン、本体、蝶ナット、を直線上に並べた参考図。
【図６Ａ】本考案のＡ蝶ナットまわしの正面斜視図。
【図６Ｂ】本考案のＡ蝶ナットまわしの背面斜視図。
【図６Ｃ】本考案のＡ蝶ナットまわしの正面図。
【図６Ｄ】本考案のＡ蝶ナットまわしの背面図。
【図６Ｅ】ヒートン、本体、蝶ナット、と本考案のＡ蝶ナットまわしを直線上に並べた図。
【図６Ｆ】本考案のＡ蝶ナットまわしの中空部を蝶ナットに冠着した参考図。
【図７Ａ】本考案のＢ蝶ナットまわしの正面斜視図。
【図７Ｂ】本考案のＢ蝶ナットまわしの背面斜視図。
【図７Ｃ】本考案のＢ蝶ナットまわしの正面図。
【図７Ｄ】本考案のＢ蝶ナットまわしの背面図。
【図７Ｅ】ヒートン、本体、蝶ナット、と本考案のＢ蝶ナットまわしを直線上に並べた図。
【図７Ｆ】本考案のＢ蝶ナットまわしの中空部をヒートンネジ切り部と蝶ナットを同時に挿通させた参考図。
【考案を実施するための形態】
【００２０】
本考案の実施例を、図面を参照しながら説明する。
１）Ａ蝶ナットまわしの場合
Ａ蝶ナットまわしの外形の直径は約５０ｍｍ厚さ８ｍｍ程度が適当である。
図５Ａ、図５Ｂのように、地面に打設された支柱２６に、支柱２６の頭部２６ａから、ヒートンの半円形状部２１を挿通する。
次に図５Ｃのよう支柱の適する高さの位置で、ヒートンネジ切り部２２に碍子本体２３を
挿入し、そして、蝶ナット２４をヒ―トンネジ切り部２２に当着し指で回して、碍子本体２３を支柱２６に仮付けする。
そして、図６ＦのようにＡ蝶ナットまわしの中空部３２をヒートンネジ切り部２２に挿通させ、Ａ蝶ナットまわしを蝶ナット２４に冠着し、これを指で回転させて螺着する。取付完成図が図4である。
【００２１】
２）Ｂ蝶ナットまわしの場合
Ｂ蝶ナットまわしの外形の直径は約５０ｍｍ厚さ８ｍｍ程度が適当である。
図５Ａ、図５Ｂのように、地面に打設された支柱２６に、支柱２６の頭部２６ａから、ヒートンの半円形状部２１を挿通する。
次に、図５Ｃのように、支柱の適する高さの位置で、ヒートンネジ切り部２２に碍子本体２３を挿通し、そして、蝶ナット２４をヒートンネジ切り部２２に当着し、指で回して碍子本体２３を支柱２６に仮付けする。
そして、図７Ｆのように、Ｂ蝶ナットまわしの中空部３２にヒートンネジ切り部２２と蝶ナット２４とを同時に挿通させ、Ｂ蝶ナットまわしを指で回転させて螺着する。取付完成図が図4である。
このようにして、Ａ蝶ナットまわし、Ｂ蝶ナットまわし共に、指に痛みを感ずることもなく容易に碍子を支柱に螺着ができる。また取り外しも同様である。
【００２２】
なお、Ａ蝶ナットまわし、Ｂ蝶ナットまわし共に、手で持つところの外形を円形のものとしたが、特にそれに限られたものでなく、角形でも楕円形など、その他の形でも実施できる。
【００２３】
Ａ蝶ナットまわしの中央部の中空部３２も円形としたが、特にそれに限られたものでなく、楕円でも、また、角型等、その他の形状あってもヒートンネジ切り部２２を挿通出来る大きさの形状であれば実施できる。
なお、中空部３２の壁部３２ａを背面方向から正面に向かって開く方向へテーパー状に加工すると、ヒートンネジ切り部２２を挿通し易くなり、作業効率も上がる。
【００２４】
Ｂ蝶ナットまわしの中央部に中空部３２を設けているが、この中空部３２も長方形としたが、特にそれに限られたものでなく、楕円でもその他の形状であってもヒートンネジ切り部２２と蝶ナット２４とを同時に挿通させることが出来る大きさの形状であれば実施できる。
なお、中空部３２の壁部３２ａを背面方向から正面に向かって開く方向へテーパー状に加工すると、ヒートンネジ切り部２２と蝶ナット２４を挿通し易くなり、作業効率も上がる。
【符号の説明】
【００２５】
１ａ，１ｂ：碍子
２：支柱
３ａ，３ｂ：裸電線
４：上下結線
５：衝撃電圧発生装置
６：出力端子
７：出力線
８：猪
９：地中
１０：アース棒
１１：アース線
１２：アース端子
２１：碍子のヒートン半円形状部
２２：碍子のヒートンネジ切り部
２３：碍子の本体
２４：碍子の蝶ナット
２４ａ：蝶ナットの突起部
２５：碍子
２６：支柱
２６ａ：支柱の頭部
３１：本考案のＡ蝶ナットまわしの本体
３２：本考案のＡ蝶ナットまわしとＢ蝶ナットまわしの中空部
３２ａ：本考案のＡ蝶ナットまわしとＢ蝶ナットまわしの中空部の壁部
３３：本考案のＡ蝶ナットまわしの本体の凸部
４１：本考案のＢ蝶ナットまわしの本体
【図１】
0003163734.tif 000003
【図２】
0003163734.tif 000004
【図３】
0003163734.tif 000005
【図４】
0003163734.tif 000006
【図５Ａ】
0003163734.tif 000007
【図５Ｂ】
0003163734.tif 000008
【図５Ｃ】
0003163734.tif 000009
【図６Ａ】
0003163734.tif 000010
【図６Ｂ】
0003163734.tif 000011
【図６Ｃ】
0003163734.tif 000012
【図６Ｄ】
0003163734.tif 000013
【図６Ｅ】
0003163734.tif 000014
【図６Ｆ】
0003163734.tif 000015
【図７Ａ】
0003163734.tif 000016
【図７Ｂ】
0003163734.tif 000017
【図７Ｃ】
0003163734.tif 000018
【図７Ｄ】
0003163734.tif 000019
【図７Ｅ】
0003163734.tif 000020
【図７Ｆ】
0003163734.tif 000021